(57)【要約】【課題】多チャンネル環境に対応可能であるとともに、所望の放送形式のチャンネル選局を適切かつ迅速に行うことが可能な放送受信装置を提供する。【解決手段】この液晶テレビジョン１００（放送受信装置）は、表示画面部５０に接続され、衛星放送を含むデジタルテレビジョン放送およびアナログテレビジョン放送の放送信号をそれぞれ受信可能なデジタル放送受信部１１およびアナログ放送受信部１２と、デジタルテレビジョン放送、アナログテレビジョン放送および衛星放送などの放送形式ごとに異なる範囲のチャンネル番号を割り当てて設定することが可能なチャンネル設定部１９とを備える。【選択図】図１
2008167181.tif 000002
【特許請求の範囲】
【請求項１】
チャンネル設定画面が表示可能な表示装置に接続され、異なる放送形式の放送信号を受信可能な放送受信手段を備えた放送受信装置において、
前記異なる放送形式ごとに異なる範囲のチャンネル番号を割り当てて設定することが可能なチャンネル設定手段と、
前記チャンネル設定手段の操作を行うリモコン送信機と、
前記放送受信手段によって前記放送信号を受信する際に、前記リモコン送信機のチャンネルボタンが押圧されたことに基づいて、前記表示装置に少なくとも押圧された前記チャンネル番号の前記放送形式を表示させるように制御する制御部とをさらに備え、
前記チャンネル設定画面は、前記放送受信手段により受信可能な前記放送信号のスキャニングが行われることによって設定可能なチャンネル数を、前記異なる放送形式ごとにそれぞれ表示するチャンネル数表示領域と、前記異なる放送形式ごとに前記チャンネル番号を割り当てる際の設定開始チャンネル番号を、前記異なる放送形式ごとに異なる３桁目の数をそれぞれ割り当てるように入力可能なチャンネル番号入力領域とを含み、
前記チャンネル番号入力領域に前記設定開始チャンネル番号が入力された場合に、前記チャンネル設定手段により前記チャンネル番号の割り当てが行われるように構成されている、放送受信装置。
【請求項２】
表示装置に接続され、異なる放送形式の放送信号を受信可能な放送受信手段と、
前記異なる放送形式ごとに異なる範囲のチャンネル番号を割り当てて設定することが可能なチャンネル設定手段とを備えた、放送受信装置。
【請求項３】
前記表示装置には、チャンネル設定画面が表示され、
前記チャンネル設定画面は、前記放送受信手段により受信可能な前記放送信号のスキャニングが行われることによって設定可能なチャンネル数を、前記異なる放送形式ごとにそれぞれ表示するチャンネル数表示領域を含む、請求項２に記載の放送受信装置。
【請求項４】
前記チャンネル設定画面は、前記異なる放送形式ごとに前記チャンネル番号を割り当てる際の設定開始チャンネル番号を、前記異なる放送形式ごとにそれぞれ入力可能なチャンネル番号入力領域をさらに含み、
前記チャンネル番号入力領域に前記設定開始チャンネル番号が入力された場合に、前記チャンネル設定手段により前記チャンネル番号の割り当てが行われるように構成されている、請求項２または３に記載の放送受信装置。
【請求項５】
前記チャンネル番号入力領域は、前記異なる放送形式ごとに、異なる３桁目の数をそれぞれ割り当てるように入力可能に構成されている、請求項４に記載の放送受信装置。
【請求項６】
前記チャンネル設定手段によって設定された前記異なる放送方式の前記チャンネル番号を記憶する記憶部と、
前記チャンネル設定手段の操作を行うリモコン送信機と、
前記放送受信手段によって前記放送信号を受信する際に、前記リモコン送信機のチャンネルボタンが押圧されたことに基づいて、前記表示装置に少なくとも押圧された前記チャンネル番号の前記放送形式を表示させるように制御する制御部とをさらに備える、請求項２〜５のいずれか１項に記載の放送受信装置。
【発明の詳細な説明】
【技術分野】
【０００１】
この発明は、放送受信装置に関し、特に、表示装置に接続され、異なる放送形式の放送信号を受信可能な放送受信手段を備えた放送受信装置に関する。
【背景技術】
【０００２】
従来、表示装置に接続され、異なる放送形式の放送信号を受信可能な放送受信手段を備えた放送受信装置やＡＶネットワークシステムが知られている（たとえば、特許文献１および２参照）。
【０００３】
上記特許文献１には、ユーザが押圧可能な９個の押ボタンスイッチ（チャンネルボタン）と、個々の押ボタンスイッチにそれぞれ連動するとともに、電子チューナに対して、アナログテレビジョン放送の各局放送信号（周波数）を受信可能とする選局用電圧およびバンド切替用電圧を与えることが可能なバンド切替スイッチが設けられたバンド切換回路とを備えた電子チューナ選局回路（放送受信装置）が開示されている。この特許文献１に記載の電子チューナ選局回路では、ユーザが回路内部の可変抵抗器を直接調節するとともに、回路内部のバンド切換スイッチを所定の位置に設定することによって、各押ボタンスイッチ（チャンネルボタン）に対応する選局用電圧を予め設定することが可能なように構成されている。
【０００４】
上記特許文献２には、表示画面が設けられた第１の放送受信装置と、デジタルインターフェースを介して第１の放送受信装置に外部接続される第２の放送受信装置（外部の放送受信装置）とから構成されたＡＶネットワークシステムが開示されている。この特許文献２に記載のＡＶネットワークシステムでは、第１の放送受信装置に付属するリモコンのキー操作とともにＯＳＤ機能（オンスクリーンディスプレイ機能）によって、第１の放送受信装置に、第２の放送受信装置（外部の放送受信装置）が受信可能な放送チャンネル番号およびチャンネル選局を行うための制御コマンド（選局時の操作情報）を対応付けて記憶することが可能なように構成されている。また、上記設定操作の際、ユーザは、放送形式（アナログ放送およびデジタル放送）に関係なく、各放送形式のチャンネル番号（放送局側の物理チャンネル番号）に対応する放送受信装置側のチャンネル番号を、任意の番号に設定することが可能とされている。
【０００５】
【特許文献１】特公昭５１−１８１２１号公報
【特許文献２】特開２００４−１８６７６８号公報
【発明の開示】
【発明が解決しようとする課題】
【０００６】
しかしながら、上記特許文献１に記載の電子チューナ選局回路（放送受信装置）では、１つの押ボタンスイッチ（チャンネルボタン）に接続されたバンド切換回路が１つの放送信号の受信に対応しているため、予め設けられた押ボタンスイッチおよびバンド切換回路の数しか放送信号を受信することができない。このため、アナログテレビジョン放送とデジタルテレビジョン放送とが混在する多チャンネル環境下では、受信可能な放送信号であるにもかかわらず、押ボタンスイッチおよびバンド切換回路の数に制限があるために、全ての放送信号を受信することができないという不都合がある。したがって、上記特許文献１では、多チャンネル環境に対応することが困難であるという問題点がある。
【０００７】
また、上記特許文献２に記載の放送受信装置およびＡＶネットワークシステムでは、放送形式（アナログ放送およびデジタル放送）に関係なく、各放送形式に対応する放送受信装置側のチャンネル番号が任意の番号に設定可能である一方、たとえば、放送受信装置側の同一のチャンネル番号帯（たとえば１〜９チャンネル）内に、異なる放送形式のチャンネル番号（放送局側の物理チャンネル番号）が混在して設定されると、ユーザは、放送受信装置側のどのチャンネル番号がどの放送形式に対応するのかを各チャンネル番号ごとに記憶しておく必要があり、その結果、所望の放送形式のチャンネルを選局する際に、適切かつ迅速なチャンネル選局ができない場合が生じるという問題点がある。
【０００８】
この発明は、上記のような課題を解決するためになされたものであり、この発明の１つの目的は、多チャンネル環境に対応可能であるとともに、所望の放送形式のチャンネル選局を適切かつ迅速に行うことが可能な放送受信装置を提供することである。
【課題を解決するための手段および発明の効果】
【０００９】
この発明の第１の局面による放送受信装置は、チャンネル設定画面が表示可能な表示装置に接続され、異なる放送形式の放送信号を受信可能な放送受信手段を備えた放送受信装置において、異なる放送形式ごとに異なる範囲のチャンネル番号を割り当てて設定することが可能なチャンネル設定手段と、チャンネル設定手段の操作を行うリモコン送信機と、放送受信手段によって放送信号を受信する際に、リモコン送信機のチャンネルボタンが押圧されたことに基づいて、表示装置に少なくとも押圧されたチャンネル番号の放送形式を表示させるように制御する制御部とをさらに備え、チャンネル設定画面は、放送受信手段により受信可能な放送信号のスキャニングが行われることによって設定可能なチャンネル数を、異なる放送形式ごとにそれぞれ表示するチャンネル数表示領域と、異なる放送形式ごとにチャンネル番号を割り当てる際の設定開始チャンネル番号を、異なる放送形式ごとに異なる３桁目の数をそれぞれ割り当てるように入力可能なチャンネル番号入力領域とを含み、チャンネル番号入力領域に設定開始チャンネル番号が入力された場合に、チャンネル設定手段によりチャンネル番号の割り当てが行われるように構成されている。
【００１０】
この第１の局面による放送受信装置では、上記のように、異なる放送形式ごとに異なる範囲のチャンネル番号を割り当てて設定することが可能なチャンネル設定手段を備えるように構成することによって、複数の放送形式による放送信号を受信可能とする多チャンネル環境下においても、押ボタンスイッチやバンド切換回路などのハードウェア上の制約がある場合と異なり、チャンネル設定手段によりチャンネル数の大小に関係なく受信可能な全ての放送信号波を選局するためのチャンネル設定を行うことができるので、容易に多チャンネル環境に対応することができる。また、異なる放送形式ごとに異なる範囲のチャンネル番号を割り当てて設定することが可能なチャンネル設定手段を備えるように構成することによって、ユーザは各放送形式に対応するチャンネル番号の範囲のみを記憶しておくだけでよいので、ユーザは、所望の放送形式のチャンネル選局を適切かつ迅速に行うことができる。
【００１１】
また、第１の局面による放送受信装置では、表示装置には、チャンネル設定画面が表示され、チャンネル設定画面を、放送受信手段により受信可能な放送信号のスキャニングが行われることによって設定可能なチャンネル数を、異なる放送形式ごとにそれぞれ表示するチャンネル数表示領域を含むように構成することによって、ユーザは、異なる放送形式ごとに異なる範囲のチャンネル番号を割り当てて設定する際に、放送形式ごとのチャンネル数を予め認識することができるので、設定するチャンネル番号の範囲を容易に決定することができる。また、チャンネル設定画面は、異なる放送形式ごとにチャンネル番号を割り当てる際の設定開始チャンネル番号を、異なる放送形式ごとにそれぞれ入力可能なチャンネル番号入力領域をさらに含むように構成されるとともに、チャンネル番号入力領域に設定開始チャンネル番号が入力された場合に、チャンネル設定手段によりチャンネル番号の割り当てが行われるように構成することによって、チャンネル番号入力領域への入力操作により、ユーザが決定した放送形式ごとのチャンネル範囲を、容易に設定することができる。
【００１２】
また、第１の局面による放送受信装置では、チャンネル番号入力領域を、異なる放送形式ごとに、異なる３桁目の数をそれぞれ割り当てるように入力可能に構成することによって、複数の放送形式が受信可能な多チャンネル環境においても、各放送形式に対して少なくとも１００チャンネル分のチャンネル番号をそれぞれ割り当てることができるので、将来的にさらにチャンネル数が増加した場合でも、容易に対応することができる。また、チャンネル設定手段によって設定された異なる放送方式のチャンネル番号を記憶する記憶部と、チャンネル設定手段の操作を行うリモコン送信機と、放送受信手段によって放送信号を受信する際に、リモコン送信機のチャンネルボタンが押圧されたことに基づいて、表示装置に少なくとも押圧されたチャンネル番号の放送形式を表示させるように制御する制御部とを備えるように構成することによって、異なる放送形式の放送信号が受信可能な放送受信装置を使用する場合でも、ユーザは表示装置を見ることによって、選局した放送チャンネルの放送形式を容易に認識することができる。
【００１３】
この発明の第２の局面による放送受信装置は、表示装置に接続され、異なる放送形式の放送信号を受信可能な放送受信手段と、異なる放送形式ごとに異なる範囲のチャンネル番号を割り当てて設定することが可能なチャンネル設定手段とを備える。
【００１４】
この第２の局面による放送受信装置では、上記のように、異なる放送形式ごとに異なる範囲のチャンネル番号を割り当てて設定することが可能なチャンネル設定手段を備えるように構成することによって、複数の放送形式による放送信号を受信可能とする多チャンネル環境においても、押ボタンスイッチやバンド切換回路などのハードウェア上の制約がある場合と異なり、チャンネル設定手段によりチャンネル数の大小に関係なく受信可能な全ての放送信号波を選局するためのチャンネル設定を行うことができるので、容易に多チャンネル環境に対応することができる。また、異なる放送形式ごとに異なる範囲のチャンネル番号を割り当てて設定することが可能なチャンネル設定手段を備えるように構成することによって、ユーザは各放送形式に対応するチャンネル番号の範囲のみを記憶しておくだけでよいので、ユーザは、所望する放送形式のチャンネル選局を適切かつ迅速に行うことができる。
【００１５】
上記第２の局面による放送受信装置において、好ましくは、表示装置には、チャンネル設定画面が表示され、チャンネル設定画面は、放送受信手段により受信可能な放送信号のスキャニングが行われることによって設定可能なチャンネル数を、異なる放送形式ごとにそれぞれ表示するチャンネル数表示領域を含む。このように構成すれば、ユーザは、異なる放送形式ごとに異なる範囲のチャンネル番号を割り当てて設定する際に、放送形式ごとのチャンネル数を予め認識することができるので、設定するチャンネル番号の範囲を容易に決定することができる。
【００１６】
上記第２の局面による放送受信装置において、好ましくは、チャンネル設定画面は、異なる放送形式ごとにチャンネル番号を割り当てる際の設定開始チャンネル番号を、異なる放送形式ごとにそれぞれ入力可能なチャンネル番号入力領域をさらに含み、チャンネル番号入力領域に設定開始チャンネル番号が入力された場合に、チャンネル設定手段によりチャンネル番号の割り当てが行われるように構成されている。このように構成すれば、チャンネル番号入力領域への入力操作により、ユーザが決定した放送形式ごとのチャンネル範囲を、容易に設定することができる。
【００１７】
上記したチャンネル番号入力領域に設定開始チャンネル番号が入力される構成において、好ましくは、チャンネル番号入力領域は、異なる放送形式ごとに、異なる３桁目の数をそれぞれ割り当てるように入力可能に構成されている。このように構成すれば、複数の放送形式が受信可能な多チャンネル環境においても、各放送形式に対して少なくとも１００チャンネル分のチャンネル番号をそれぞれ割り当てることができるので、将来的にさらにチャンネル数が増加した場合でも、容易に対応することができる。
【００１８】
上記第２の局面による放送受信装置において、好ましくは、チャンネル設定手段によって設定された異なる放送方式のチャンネル番号を記憶する記憶部と、チャンネル設定手段の操作を行うリモコン送信機と、放送受信手段によって放送信号を受信する際に、リモコン送信機のチャンネルボタンが押圧されたことに基づいて、表示装置に少なくとも押圧されたチャンネル番号の放送形式を表示させるように制御する制御部とをさらに備える。このように構成すれば、異なる放送形式の放送信号が受信可能な放送受信装置を使用する場合でも、ユーザは表示装置を見ることによって、選局した放送チャンネルの放送形式を容易に認識することができる。
【発明を実施するための最良の形態】
【００１９】
以下、本発明を具体化した実施形態を図面に基づいて説明する。
【００２０】
図１は、本発明の一実施形態による液晶テレビジョンの回路構成を示したブロック図である。図２および図３は、図１に示した本発明の一実施形態による液晶テレビジョンを操作するリモコン送信機を示した図である。図４〜図１４は、図１に示した本発明の一実施形態による液晶テレビジョンの操作画面を示した図である。まず、図１〜図１４を参照して、本発明の一実施形態による液晶テレビジョン１００の構成について説明する。なお、本実施形態では、放送受信装置の一例である液晶テレビジョンに本発明を適用した場合について説明する。
【００２１】
本発明の一実施形態による液晶テレビジョン１００は、図１に示すように、制御回路部１０が、アンテナケーブル３０および３１を介して、ＢＳ／ＣＳアンテナ４０および地上波アンテナ４１にそれぞれ接続されているとともに、本体内部で制御回路部１０から表示画面部５０およびスピーカ５１にそれぞれ接続されることによって、アナログ信号波およびデジタル信号波を発信する放送局から受信されたテレビジョン放送波を表示画面部５０およびスピーカ５１に出力することが可能なように構成されている。また、図１に示すように、ユーザが離れた位置から液晶テレビジョン１００を操作可能とするために、リモコン送信機６０が設けられている。なお、表示画面部５０は、本発明の「表示装置」の一例である。
【００２２】
また、制御回路部１０は、図１に示すように、ＢＳ／ＣＳアンテナ４０および地上波アンテナ４１を介してデジタルテレビジョン放送の放送信号波を受信するデジタル放送受信部１１と、ＢＳ／ＣＳアンテナ４０および地上波アンテナ４１を介してアナログテレビジョン放送の放送信号波を受信するアナログ放送受信部１２と、映像および音声信号の出入力を切り換える役割を有するＡＶセレクタ１３と、デジタル放送受信部１１からの映像・音声信号をデコード（復号）するＡＶデコーダ１４と、アナログ放送受信部１２からの映像信号をＹ／Ｃ分離する３次元Ｙ／Ｃ分離回路部１５と、ＡＶデコーダ１４および３次元Ｙ／Ｃ分離回路部１５からの映像信号の各種処理を行う映像処理部１６と、ＡＶセレクタ１３からの音声信号（ＡＶデコーダ１４を経由する音声信号を含む）を処理する音声処理部１７とを備えている。なお、デジタル放送受信部１１およびアナログ放送受信部１２は、それぞれ、本発明の「放送受信手段」の一例である。
【００２３】
ここで、本実施形態では、制御回路部１０は上述の構成要素に加えて、図１に示すように、ＣＰＵからなり、液晶テレビジョン１００の全体の制御を司る制御部１８と、受信可能な放送信号波と液晶テレビジョン１００内部のチャンネル番号とを対応付けるチャンネル設定部１９と、チャンネル設定部１９によって設定された受信可能な放送信号波とチャンネル番号との対応を記憶するメモリ部２０とをさらに備えている。なお、チャンネル設定部１９およびメモリ部２０は、それぞれ、本発明の「チャンネル設定手段」および「記憶部」の一例である。
【００２４】
また、制御回路部１０には、図１に示すように、リモコン送信機６０からのリモコン信号を受光するとともに電気信号に変換して制御部１８に指令を与えるリモコン受光部２１が設けられている。また、制御回路部１０の各構成要素は、図１に示すように、バス（伝送路）２２によって互いに接続されることによって、制御信号および制御上のデータを互いに通信することが可能なように構成されている。
【００２５】
また、図１に示すように、デジタル放送受信部１１は、ＢＳ／ＣＳアンテナ４０および地上波アンテナ４１を介してデジタルテレビジョン放送の映像および音声データを含む高周波デジタル変調信号のうちから任意に選択された周波数のデジタル変調信号を取り出すとともに、選択されたデジタル変調信号を復調して出力する機能を有するように構成されている。また、図１に示すように、ＡＶデコーダ１４は、ＡＶセレクタ１３によって分離された映像信号（実線の矢印）および音声信号（破線の矢印）のそれぞれに対してデコード処理（符号の復号化）を行い、映像データおよび音声データを生成する機能を有するように構成されている。なお、映像データ（実線の矢印）および音声データ（破線の矢印）は、それぞれ、映像処理部１６および音声処理部１７によってＤ／Ａ変換処理（デジタル／アナログ変換処理）がなされた上で、図１に示すように、表示画面部５０およびスピーカ５１から、それぞれ出力されるように構成されている。
【００２６】
また、図１に示すように、アナログ放送受信部１２は、ＢＳ／ＣＳアンテナ４０および地上波アンテナ４１を介してアナログテレビジョン放送の放送信号波から、選択された周波数の放送信号波を復調して出力する機能を有するように構成されている。また、図１に示すように、アナログ放送受信部１２からの映像信号（実線の矢印）および音声信号（破線の矢印）は、ＡＶセレクタ１３によって分離された映像信号（コンポジット信号）が３次元Ｙ／Ｃ分離回路部１５および映像処理部１６を経由して表示画面部５０から出力されるように構成されている。また、図１に示すように、ＡＶセレクタ１３によって分離された音声信号は、音声処理部１７を経由してスピーカ５１から出力されるように構成されている。
【００２７】
また、図２に示すように、リモコン送信機６０は、液晶テレビジョン１００の主電源をオン／オフさせる電源ボタン６１と、音声切換および入力切換などのモード切換ボタン６２と、テレビ番組のチャンネル番号を直接入力して選局するためのチャンネル入力ボタン６３と、現在選局されているチャンネル番号をアップ／ダウンさせることによって選局を行うためのチャンネルアップ／ダウンボタン６４と、音量調節ボタン６５と、表示画面部５０によって液晶テレビジョン１００の諸設定を行わせるための操作ボタン群６６とから構成されている。
【００２８】
また、図３に示すように、リモコン送信機６０は、ユーザが操作ボタン群６６のトップメニューボタン６６ａを押圧することによって、図４に示すような、表示画面部５０にトップメニュー画面７０が表示されるように構成されている。また、図４に示すようなトップメニュー画面７０において、ユーザは選択ボタン６６ｂ（図３参照）を使用して画面内のカーソル位置を上下左右に移動させるとともに、決定ボタン６６ｃ（図３参照）を使用して、選択された設定内容を決定（実行）させることが可能なように構成されている。なお、画面内のカーソル位置を移動させる際、カーソル位置にあるボタンの色は、他のボタンの色と異なる色によって表示されるように構成されている。
【００２９】
また、図３に示すように、ユーザがリターンボタン６６ｄを押圧することによって、表示画面部５０に現在表示されている設定画面（たとえばトップメニュー画面７０など）から、一つ前に表示画面部５０に表示されていた設定画面に戻すことが可能なように構成されている。また、ユーザがリターンボタン６６ｄ（図３参照）の押圧動作を複数回繰り返すことによって、表示画面部５０に表示されているトップメニュー画面７０（図４参照）の表示を終了させるとともに、表示画面部５０を通常の視聴状態に復帰させることが可能なように構成されている。
【００３０】
また、図４に示すような表示画面部５０に表示されているトップメニュー画面７０において、各メニューのうち、初期設定ボタン７０ａを選択・決定した場合は、図５に示すような初期設定画面７１が表示されるように構成されている。さらに、表示画面部５０に表示されている初期設定画面７１において、各メニューのうち、チャンネル設定ボタン７１ａを選択・決定した場合は、図６に示すように、チャンネル設定に関する各メニューが初期設定画面７１に表示されるように構成されている。なお、前述と同様に、メニュー内のカーソル位置を移動させる際も、カーソル位置にあるボタンの色は、他のボタンの色と異なる色によって表示されるように構成されている。
【００３１】
ここで、本実施形態では、初期設定画面７１（図６参照）の各メニューのうち、オートスキャンボタン７１ｂを選択・決定した場合には、図７に示すように、チャンネル設定画面７２が表示されるとともに、制御部１８（図１参照）は、チャンネル設定部１９（図１参照）に対して、オートスキャン（放送信号波の検出による自動選局動作）を実行する指令を出すように構成されている。この際、チャンネル設定画面７２（図７参照）には、表示領域７２ａおよび７２ｂが設けられ、表示領域７２ａには現在スキャン（選局）を行っている放送モード（放送形式）を表示するとともに、表示領域７２ｂにはスキャン中のチャンネル番号（放送局側の物理チャンネル番号）を表示することが可能なように構成されている。
【００３２】
また、本実施形態では、図８に示すように、チャンネル設定部１９（図１参照）によるスキャン終了後のチャンネル設定画面７３には、チャンネル数表示領域７３ａおよびチャンネル番号入力領域７３ｂがそれぞれ設けられている。また、チャンネル数表示領域７３ａ（図８参照）には、各放送モード（本実施形態では、アナログテレビジョン放送、デジタルテレビジョン放送および衛星放送の３種類に分類される）におけるオートスキャン（自動選局動作）によって取得されたチャンネル数が、それぞれ表示されるように構成されている。また、チャンネル番号入力領域７３ｂ（図８参照）には、ユーザが放送モード（放送形式）ごとにチャンネル番号を割り当てる際の、液晶テレビジョン１００内部での設定開始チャンネル番号を入力することが可能なように構成されている。
【００３３】
また、本実施形態では、図８に示すように、チャンネル番号入力領域７３ｂは、各放送モード（本実施形態では、アナログテレビジョン放送、デジタルテレビジョン放送および衛星放送の３種類）とも、３桁の数字によってチャンネル番号を入力することが可能なように構成されている。たとえば、アナログテレビジョン放送に関する設定開始チャンネル番号を１チャンネルからに設定したい場合は、図１０に示すように、チャンネル番号入力領域７３ｂへは、「００１」のように入力することが可能なように構成されている。なお、３桁目（１００の位）を入力する際は、リモコン送信機６０（図２参照）の選択ボタン６６ｂ（図２参照）によって、カーソルを３桁目の入力領域７３ｃに移動させた上で決定ボタン６６ｃ（図２参照）を１回押圧することによって、図９に示すような、３桁目を選択するプルダウン表示７３ｄが表示されるので、さらに選択ボタン６６ｂ（図２参照）によって所望の数字を選択することが可能なように構成されている。なお、図９では「３」が選択中であることを示している。そして、再度決定ボタン６６ｃ（図２参照）を押圧することによって、３桁目（１００の位）の入力領域７３ｃの数字が確定されるとともに、プルダウン表示７３ｄが非表示となるように構成されている。
【００３４】
また、図８に示すように、チャンネル番号入力領域７３ｂの２桁目（１０の位）の入力領域７３ｅおよび１桁目（１の位）の入力領域７３ｆへの数字の入力は、それぞれ、チャンネル入力ボタン６３（図２参照）を使用して直接数字を入力することが可能なように構成されている。なお、デジタルテレビジョン放送および衛星放送に関する設定開始チャンネル番号も、アナログテレビジョン放送に関する設定開始チャンネル番号を入力する際と同様の入力方法によって設定されるように構成されている。
【００３５】
また、本実施形態では、図１０に示すように、放送モード（アナログテレビジョン放送、デジタルテレビジョン放送および衛星放送の３種類）ごとに設定開始チャンネル番号が入力された後、リモコン送信機６０（図２参照）の選択ボタン６６ｂ（図２参照）によってカーソルを実行ボタン７３ｇまで移動させるとともに、決定ボタン６６ｃ（図２参照）を１回押圧することによって、チャンネル設定部１９（図１参照）は、上述のように設定されたチャンネル番号の対応関係をメモリ部２０に記憶させると同時に、図１１に示すような、メッセージボックス７４をチャンネル設定画面７３に所定の時間だけ表示させることが可能に構成されている。
【００３６】
なお、図１２に示すように、チャンネル番号入力領域７３ｂにおいて、アナログテレビジョン放送およびデジタルテレビジョン放送の設定開始チャンネル番号の３桁目（入力領域７３ｃ）に同じ数字（本例では「０」）が一通り入力され、最後に実行ボタン７３ｇの選択・実行が行われた場合、チャンネル設定部１９（図１参照）は、自己が有するチェック機能によって、図１３に示すようなメッセージボックス７５を、チャンネル設定画面７３に所定の時間だけ表示させることが可能なように構成されている。このメッセージボックス７５が表示されることによって、ユーザに対して、チャンネル番号入力領域７３ｂの３桁目（入力領域７３ｃ）へ入力した数字（１００の位の番号）に、アナログテレビジョン放送およびデジタルテレビジョン放送において同じ数字（本例では「０」）が入力されていることを認識させるとともに、異なる放送モード（本例ではアナログテレビジョン放送およびデジタルテレビジョン放送）で重複しない数字を再度入力させることが可能なように構成されている。
【００３７】
また、本実施形態では、チャンネル番号の設定完了後、ユーザがテレビ番組を試聴中に、チャンネル入力ボタン６３（図２参照）およびチャンネルアップ／ダウンボタン６４（図２参照）のいずれかを押圧してチャンネル選局を行った場合、図１４に示すように、現在選局されているチャンネル番号および放送モード（放送形式）が、表示画面部５０の右上部分に所定の時間だけ表示されることが可能となるように構成されている。
【００３８】
図１５は、図１に示した本発明の一実施形態による液晶テレビジョンのチャンネル設定時の制御動作を説明するための図である。次に、図１、図２および図４〜図１５を参照して、本実施形態による液晶テレビジョン１００のチャンネル設定時における制御部１８による制御動作について説明する。
【００３９】
液晶テレビジョン１００の主電源がオン状態である場合において、制御部１８（図１参照）は、図１５に示すように、まずステップＳ１で、デジタル放送受信部１１およびアナログ放送受信部１２が、デジタルテレビジョン放送およびアナログテレビジョン放送の放送信号を受信可能であるか否かが判断され、デジタル放送受信部１１およびアナログ放送受信部１２がデジタルテレビジョン放送およびアナログテレビジョン放送の放送信号を受信可能でない場合は、制御部１８（図１参照）は、デジタルテレビジョン放送およびアナログテレビジョン放送の放送信号を受信可能な状態となるまでこの判断を繰り返す。そして、ステップＳ１で、受信部１８（図１参照）がデジタルテレビジョン放送およびアナログテレビジョン放送の放送信号を受信可能である状態になったと判断された場合は、ステップＳ２に移行する。
【００４０】
次に、ステップＳ２において、制御部１８（図１参照）は、ユーザのリモコン操作によって、トップメニュー画面７０（図４参照）の初期設定ボタン７０ａ（図４参照）が押圧されたか否かが判断され、トップメニュー画面７０（図４参照）の初期設定ボタン７０ａ（図４参照）が押圧されていない場合は、初期設定ボタン７０ａ（図４参照）が押圧されるまでこの判断を繰り返す。そして、トップメニュー画面７０（図４参照）の初期設定ボタン７０ａ（図４参照）が押圧されたと判断された場合は、制御部１８（図１参照）は、ステップＳ３において、初期設定画面７１（図５参照）を表示画面部５０（図１参照）に表示する。
【００４１】
そして、ステップＳ４では、ユーザのリモコン操作によって、初期設定画面７１（図６参照）のオートスキャンボタン７１ｂ（図６参照）が押圧されたか否かが判断され、初期設定画面７１（図６参照）のオートスキャンボタン７１ｂ（図６参照）が押圧されていない場合は、オートスキャンボタン７１ｂ（図６参照）が押圧されるまでこの判断を繰り返す。そして、初期設定画面７１（図６参照）のオートスキャンボタン７１ｂ（図６参照）が押圧されたと判断された場合は、制御部１８（図１参照）は、以後の制御動作をチャンネル設定部１９（図１参照）に移行させる。
【００４２】
そして、ステップＳ５では、チャンネル設定部１９（図１参照）は、チャンネル設定画面７２（図７参照）を表示画面部５０に表示するとともに、デジタル放送受信部１１およびアナログ放送受信部１２によって受信可能なチャンネルのスキャン（放送信号波の検出による自動選局動作）を開始する。この際、チャンネル設定部１９（図１参照）は、図７に示すように、チャンネル設定画面７２の表示領域７２ａおよび７２ｂに、それぞれ、現在スキャンを行っている放送モード（放送形式）およびスキャン中のチャンネル番号（放送局側の物理チャンネル番号）を表示しながら、スキャンを継続する。
【００４３】
そして、ステップＳ６では、チャンネル設定部１９（図１参照）は、受信可能なチャンネルのスキャン（自動選局動作）が完了されたか否かが判断され、受信可能なチャンネルのスキャンが完了されていない場合は、チャンネルのスキャンを継続する。また、ステップＳ６で、受信可能なチャンネルのスキャンが完了されたと判断された場合は、次のステップＳ７で、図７に示したチャンネル設定画面７２から、図８に示すような内容のチャンネル設定画面７３に切り換えた上で、表示画面部５０（図１参照）に表示する。
【００４４】
ここで、本実施形態では、チャンネル設定部１９（図１参照）は、図８に示すように、チャンネル設定画面７３において、チャンネル数表示領域７３ａに、アナログテレビジョン放送、デジタルテレビジョン放送および衛星放送などの異なる放送モード（放送形式）ごとにスキャンによって取得されたチャンネル数を表示する。そして、チャンネル設定部１９（図１参照）は、図８に示すように、チャンネル番号入力領域７３ｂの放送モード（放送形式）ごとの入力領域７３ｃ（１００の位）、７３ｅ（１０の位）および７３ｆ（１の位）へ数字が入力されるための待機状態に移行する。
【００４５】
また、本実施形態では、次のステップＳ８において、チャンネル設定部１９（図１参照）は、ユーザによって図８〜図１０、図１２および図１３に示したチャンネル設定画面７３における設定プロセスにより、放送モード（放送形式）ごとの設定開始チャンネル番号の設定が正常に行われるとともに、設定開始チャンネル番号の設定が完了されたか否かが判断され、設定開始チャンネル番号の設定が完了されていない場合は、設定開始チャンネル番号の設定が完了されるまでこの判断を繰り返す。そしてステップＳ８で、リモコン送信機６０（図２参照）の決定ボタン６６ｃ（図２参照）を介して、チャンネル設定画面７３（図１０参照）の実行ボタン７３ｇ（図１０参照）の選択・実行が行われることによって、設定開始チャンネル番号の設定が完了されたと判断された場合は、次のステップＳ９において、チャンネル設定部１９（図１参照）は、設定内容をメモリ部２０（図１参照）に記憶させるとともに、図１１に示すような、メッセージボックス７４をチャンネル設定画面７３に所定の時間だけ表示させる。
【００４６】
さらに、本実施形態では、次のステップＳ１０において、チャンネル設定部１９（図１参照）は、メモリ部２０に記憶された放送モード（アナログテレビジョン放送、デジタルテレビジョン放送および衛星放送の放送形式）ごとのチャンネル番号の設定内容に基づいて、ステップＳ５でスキャンが行われた各放送モードの各チャンネル（放送局側の物理チャンネル）に対して、液晶テレビジョン１００側の各放送モードにおける設定開始チャンネル番号を先頭として、以降のチャンネル番号を順次割り当てていくことを実行する。そして、割り当て作業が完了した際に、チャンネル設定部１９（図１参照）は、チャンネル番号の割り当て作業が完了した旨を制御部１８（図１参照）に通知するとともに、以後の制御動作は、制御部１８（図１参照）に引き渡される。
【００４７】
そして、ステップＳ１１では、制御部１８（図１参照）は、表示画面部５０（図１参照）に初期設定画面７１（図６参照）を再度表示させる。また、ステップＳ１２で、制御部１８（図１参照）は、ユーザのリモコン操作によって、リターンボタン６６ｄ（図２参照）が押圧されたか否かが判断され、リターンボタン６６ｄ（図２参照）が押圧されていない場合は、ステップＳ３に戻り、初期設定画面７１（図６参照）の表示を継続する。そして、ステップＳ１２で、リターンボタン６６ｄ（図２参照）が押圧されたと判断された場合は、制御部１８（図１参照）は、ステップＳ１３において、トップメニュー画面７０（図４参照）を表示画面部５０に表示させる。
【００４８】
また、ステップＳ１３で、制御部１８（図１参照）は、ユーザのリモコン操作によって、リターンボタン６６ｄ（図２参照）が押圧されたか否かが判断され、リターンボタン６６ｄ（図２参照）が押圧されていない場合は、トップメニュー画面７０（図４参照）の表示を継続したままステップＳ２に戻る。そして、ステップＳ１３で、リターンボタン６６ｄ（図２参照）が押圧されたと判断された場合は、制御部１８（図１参照）は、トップメニュー画面７０（図４参照）を非表示とすることによって、本制御を終了する。したがって、制御部１８（図１参照）は、受信された通常の映像を表示画面部５０に表示させる。
【００４９】
本実施形態では、上記のように、放送モード（デジタルテレビジョン放送、アナログテレビジョン放送および衛星放送などの放送形式）ごとにそれぞれ異なる範囲のチャンネル番号を割り当てて設定することが可能なチャンネル設定部１９（図１参照）を備えるように構成することによって、複数の放送モード（デジタルテレビジョン放送、アナログテレビジョン放送および衛星放送などの放送形式）による放送信号波を受信可能とする多チャンネル環境下においても、押ボタンスイッチやバンド切換回路などのハードウェア上の制約がある場合と異なり、チャンネル設定部１９によりチャンネル数の大小に関係なく受信可能な全ての放送信号波を選局するためのチャンネル設定を行うことができるので、容易に多チャンネル環境に対応することができる。また、上記構成と同様に、放送モード（デジタルテレビジョン放送、アナログテレビジョン放送および衛星放送などの放送形式）ごとにそれぞれ異なる範囲のチャンネル番号を割り当てて設定することが可能なチャンネル設定部１９（図１参照）を備えるように構成することによって、ユーザは各放送モード（デジタルテレビジョン放送、アナログテレビジョン放送および衛星放送などの放送形式）に対応するチャンネル番号の範囲のみを記憶しておくだけでよいので、ユーザは、所望の放送モード（デジタルテレビジョン放送、アナログテレビジョン放送および衛星放送などの放送形式）のチャンネル選局を適切かつ迅速に行うことができる。
【００５０】
また、本実施形態では、表示画面部５０には、チャンネル設定画面７３（図８参照）が表示され、チャンネル設定画面７３を、デジタル放送受信部１１（図１参照）およびアナログ放送受信部１２（図１参照）によりそれぞれ受信可能な放送信号のスキャンが行われることによって設定可能なチャンネル数を、デジタルテレビジョン放送、アナログテレビジョン放送および衛星放送の３種類の放送モードごとにそれぞれ表示可能なチャンネル数表示領域７３ａ（図８参照）を含むように構成することによって、ユーザは、チャンネル設定画面７３によって、放送モード（デジタルテレビジョン放送、アナログテレビジョン放送および衛星放送などの放送形式）ごとに異なる範囲のチャンネル番号を割り当てて設定する際に、上記３種類の放送モードごとの受信可能なチャンネル数を予め認識することができるので、設定するチャンネル番号の範囲を容易に決定することができる。
【００５１】
また、本実施形態では、チャンネル設定画面７３（図８参照）を、放送モード（デジタルテレビジョン放送、アナログテレビジョン放送および衛星放送などの放送形式）ごとにチャンネル番号を割り当てる際の設定開始チャンネル番号を、上記３種類の放送形式ごとにそれぞれ入力可能なチャンネル番号入力領域７３ｂ（図８参照）をさらに含むように構成するとともに、チャンネル番号入力領域７３ｂへ設定開始チャンネル番号が入力された場合に、チャンネル設定部１９（図１参照）によってチャンネル番号の割り当て動作（割り当て作業）が実行されるように構成することによって、チャンネル番号入力領域７３ｂへの入力操作により、ユーザが決定した上記３種類の放送形式ごとのチャンネル範囲を、容易に設定することができる。
【００５２】
また、本実施形態では、チャンネル番号入力領域７３ｂ（図８参照）を、放送モード（デジタルテレビジョン放送、アナログテレビジョン放送および衛星放送などの放送形式）ごとに、異なる３桁目の数をそれぞれ割り当てるように入力可能な入力領域７３ｃ、７３ｅおよび７３ｆを設けるように構成することによって、デジタルテレビジョン放送、アナログテレビジョン放送および衛星放送などの複数の放送形式が受信可能な多チャンネル環境においても、上記３種類の各放送形式に対して少なくとも１００チャンネル分のチャンネル番号をそれぞれ割り当てることができるので、将来的にさらにチャンネル数が増加した場合でも、容易に対応することができる。
【００５３】
また、本実施形態では、チャンネル設定部１９（図１参照）によって個々に設定された、デジタルテレビジョン放送、アナログテレビジョン放送および衛星放送などの放送形式のチャンネル番号を記憶するメモリ部２０（図１参照）と、チャンネル設定部１９への入力操作を行うリモコン送信機６０（図１参照）と、デジタル放送受信部１１（図１参照）およびアナログ放送受信部１２（図１参照）によって放送信号を受信する際に、リモコン送信機６０のチャンネルボタン６３およびチャンネルアップ／ダウンボタン６４が押圧されたことに基づいて、表示画面部５０（図１４参照）の右上部分に、選局されたチャンネル番号と放送モードとを所定の時間表示させるように制御する制御部１８（図１参照）とを備えるように構成することによって、デジタルテレビジョン放送、アナログテレビジョン放送および衛星放送などの異なる放送形式の放送信号が受信可能な液晶テレビジョン１００を使用する場合でも、ユーザは表示画面部５０を見ることによって、選局したチャンネルの放送モード（放送形式）を容易に認識することができる。
【００５４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５５】
たとえば、上記実施形態では、放送受信装置の一例としての液晶テレビジョンに本発明を適用した例を示したが、本発明はこれに限らず、チャンネル設定画面が表示可能な表示装置に接続され、異なる放送形式の放送信号を受信可能な放送受信手段を備えた放送受信装置であれば、液晶テレビジョン以外の放送受信装置にも適用可能である。
【００５６】
また、上記実施形態では、チャンネル設定画面７３において、異なる放送形式を、デジタルテレビジョン放送、アナログテレビジョン放送および衛星放送の３種類の放送モード（放送形式）に分類して表示するように構成した例を示したが、本発明はこれに限らず、異なる放送モード（放送形式）を、デジタルテレビジョン放送、アナログテレビジョン放送および衛星放送以外の分類方法によって分類した上で表示させるように構成してもよい。
【００５７】
また、上記実施形態では、チャンネル設定画面７３において、チャンネル設定部１９を、各放送モードの設定開始チャンネル番号を一通り入力した上で実行ボタン７３ｇを選択・実行することによって、各放送モードにおける設定開始チャンネル番号の３桁目の数字（入力領域７３ｃ）が互いに重複していないことをチェックするように構成するとともに、各放送モードにおける設定開始チャンネル番号の３桁目の数字（入力領域７３ｃ）が互いに重複している場合には、入力間違いの旨を伝えるメッセージボックス７５（図１３参照）を表示させるように構成した例を示したが、本発明はこれに限らず、チャンネル設定部１９を、各放送モードにおける設定開始チャンネル番号の３桁目の数字（入力領域７３ｃ）を入力する段階で、放送モード間で互いに同じ数字（３桁目の数字）が入力されないような仕組み（制御プログラム）を適用するようにしてもよい。
【００５８】
また、本実施形態では、制御部１８を、リモコン送信機６０のチャンネルボタン６３およびチャンネルアップ／ダウンボタン６４が押圧されたことに基づいて、表示画面部５０（図１４参照）の右上部分に選局されたチャンネル番号と放送モードとを表示させるように制御するように構成した例を示したが、本発明はこれに限らず、制御部１８を、チャンネルボタ６３ンおよびチャンネルアップ／ダウンボタン６４が押圧されたことに基づいて、選局された放送モード（放送形式）とともに、その放送モード（放送形式）における選局可能なすべてのチャンネル番号をリスト形式として所定の時間、表示画面部５０の所定の場所に表示させるように構成してもよい。
【図面の簡単な説明】
【００５９】
【図１】本発明の一実施形態による液晶テレビジョンの回路構成を示したブロック図である。
【図２】図１に示した一実施形態による液晶テレビジョンを操作するリモコン送信機を示した図である。
【図３】図１に示した一実施形態による液晶テレビジョンを操作するリモコン送信機を示した図である。
【図４】図１に示した一実施形態による液晶テレビジョンの操作画面の構成を示した図である。
【図５】図１に示した一実施形態による液晶テレビジョンの操作画面の構成を示した図である。
【図６】図１に示した一実施形態による液晶テレビジョンの操作画面の構成を示した図である。
【図７】図１に示した一実施形態による液晶テレビジョンの操作画面の構成を示した図である。
【図８】図１に示した一実施形態による液晶テレビジョンの操作画面の構成を示した図である。
【図９】図１に示した一実施形態による液晶テレビジョンの操作画面の構成を示した図である。
【図１０】図１に示した一実施形態による液晶テレビジョンの操作画面の構成を示した図である。
【図１１】図１に示した一実施形態による液晶テレビジョンの操作画面の構成を示した図である。
【図１２】図１に示した一実施形態による液晶テレビジョンの操作画面の構成を示した図である。
【図１３】図１に示した一実施形態による液晶テレビジョンの操作画面の構成を示した図である。
【図１４】図１に示した一実施形態による液晶テレビジョンの表示画面部を示した図である。
【図１５】図１に示した本発明の一実施形態による液晶テレビジョンのチャンネル設定時の制御部による制御動作を説明するための図である。
【符号の説明】
【００６０】
１１    デジタル放送受信部（放送受信手段）
１２    アナログ放送受信部（放送受信手段）
１８    制御部
１９    チャンネル設定部（チャンネル設定手段）
２０    メモリ部（記憶部）
５０    表示画面部（表示装置）
６０    リモコン送信機
６３    チャンネルボタン
７２、７３    チャンネル設定画面
７３ａ  チャンネル数表示領域
７３ｂ  チャンネル番号入力領域
【図１】
2008167181.tif 000003
【図２】
2008167181.tif 000004
【図３】
2008167181.tif 000005
【図４】
2008167181.tif 000006
【図５】
2008167181.tif 000007
【図６】
2008167181.tif 000008
【図７】
2008167181.tif 000009
【図８】
2008167181.tif 000010
【図９】
2008167181.tif 000011
【図１０】
2008167181.tif 000012
【図１１】
2008167181.tif 000013
【図１２】
2008167181.tif 000014
【図１３】
2008167181.tif 000015
【図１４】
2008167181.tif 000016
【図１５】
2008167181.tif 000017